(57)【特許請求の範囲】
【請求項１】
不透明背面板と、この不透明背面板の表面側に接合する面に無数の所望形状の凹部を形成し、この凹部面に表面側から入射した光りを反射するマイクロプリズム面を形成し、前記凹部間に光ファイバーの先端部を取付けた光ファイバー取付兼反射板と、この光ファイバー取付兼反射板の表面側に配設した透明あるいは半透明板の表面あるいは裏面に図柄を表示した図柄表示板と、前記光ファイバーの後端から太陽直射光束または天空拡散光束を入射させるようにその後端部を取付けた光ファイバー取付板とよりなる高輝度図柄発光表示装置。
【発明の詳細な説明】
【０００１】
【産業上の利用分野】
この発明は、図柄表示板に表示した図柄の背面より受ける太陽直射光および拡散天空光を図柄表示板へ導光させて天空以上に均一に高輝度発光させることで、太陽直射光の逆光時および建造物や地形による逆光時の視認性の悪化状態において、極めて高い図柄の視認性および誘目性が得られることから、道路標識板、視線誘導表示器、鉄道関係標識板、港湾関係表示器、一般の看板、室内窓表示器等の全般に利用できる高輝度図柄発光表示装置に関するものである。
【０００２】
【従来の技術】
従来の図柄表示装置（無照明型図柄表示装置）の昼間における図柄の視認確保は、太陽直射光および拡散天空光、建造物、路面、樹木等からの二次的散乱光による散乱発光または吸収で視認性および誘目性を得るものであり、夜間にあっては街路灯や建造物からの拡散光、車輌のヘッドライト光、または外部に照明を備えて視認性および誘目性を得るものである。
【０００３】
また、内部照明図柄表示装置（内照型図柄表示装置）は昼間にあっては前記無照明型図柄表示装置と同様に図柄の視認性を確保させ、夜間においては内部照明を点灯させることにより図柄を発光させて視認させるものであった。
【０００４】
図柄表示装置を道路標識に適用した一例として、図５〜図８によって説明すると、図５の正面図および図６の側面図で示す道路標識の構造は、標識基板２１上の白色反射シート２２上に、透明着色インク、非透明着色インク、または着色反射シートおよび着色非反射シートの組合せによる図柄１１を施してなるものである。
【０００５】
図７は前記道路標識の作用の説明図であり、昼間にあっては前記図柄１１面に直接作用する太陽直射光および拡散天空光２３、二次的散乱光２４による図柄面の散乱発光または吸収で視認性および誘目性を得るものであり、夜間は車輌のヘッドライト光Ｂによる回帰性反射光により視認性および誘目性を得るものであった。
【０００６】
図８は内部照明を有する道路標識の構造を示す側断面図であり、ハウジング２５の先端開口に取付けた白色拡散板からなる表面板２８の裏面に図柄印刷２９を施し、夜間に図柄を発光させるために、前記ハウジング２５の内部に蛍光灯２６または電界発光するＥＬ素子板２７を備えて図柄を発光させ、視認性および誘目性を有するようにしたものであり、昼間の視認性および誘目性は前記無照明反射標識と同じである。
【０００７】
【発明が解決しようとする課題】
ところが、前記従来の技術の場合にあって、夜間は白色反射シートにヘッドライトが当たることにより、または内部照明および外部照明で図柄を照明することにより、図柄の視認性および誘目性は確保されるが、昼間における図柄の視認性および誘目性は、太陽直射光を含め天空拡散光の配光方向、建造物、地形による設置環境による配光方向によって鉛直面上にある図柄の照度は極めて大きく変化することである。
【０００８】
特に図柄背面から太陽直射光および天空拡散光Ａが図７に示すように入射する逆光時にあっては、眩惑現象および図柄面の環境照度比の低下や日陰現象を生じ、極めて図柄の視認性および誘目性が悪い状態を生じ、著しい場合には図柄の視認性が不可能となって、図柄の視認性および誘目性の全く無い現象が、昼間において多発していることが大きな問題点であり、これが解決しようとする大きな課題であった。
この発明は、前記課題を解決するとともに、高輝度図柄発光表示装置の図柄表示板の背面側に支柱や支板があっても、その支柱や支板の背面側から入射する逆光時に前記支柱や支板の影響を受けないで、図柄表示板に表示した図柄を高輝度発光させるようにした高輝度図柄発光表示装置を提供することを目的とする。
【０００９】
【課題を解決するための手段】
この発明は、前記目的を達成するために、不透明背面板１と、この不透明背面板１の表面側に接合する面に無数の所望形状の凹部２を形成し、この凹部２に表面側から入射した光りを反射するマイクロプリズム面３を形成し、前記凹部２間に光ファイバー４の先端部４ａを取付けた光ファイバー取付兼反射板５と、この光ファイバー取付兼反射板５の表面側に配設した透明あるいは半透明板の表面あるいは裏面に図柄を表示した図柄表示板６と、前記光ファイバー４の後端から太陽直射光束または天空拡散光束を入射させるようにその後端部４ｂを取付けた光ファイバー取付板７とよりなる高輝度図柄発光表示装置としたものである。
【００１０】
【作用】
この発明の高輝度図柄発光表示装置によれば、前記光ファイバー４の後端部４ｂから太陽直射光束または天空拡散光束が入射すると、それが光ファイバー４の先端部４ａに導かれ、透明あるいは半透明板の表面あるいは裏面に図柄を表示した図柄表示板６を裏面から照明し、この図柄表示板６に表示した図柄を高輝度発光させ、昼間の特に逆光時における図柄の視認性および誘目性が極めて高くなる。
一方、夜間に自動車のヘッドライトが図柄を表面あるいは裏面に表示した図柄表示板６を透過し、さらに、光ファイバー取付兼反射板５の裏面に形成した凹部２のマイクロプリズム面３で反射し、前記図柄表示板６に表示した図柄を高輝度発光させて、夜間の図柄の視認性および誘目性が極めて高くなる。
【００１１】
【実施例】
以下、この発明の高輝度図柄発光表示装置の実施例について詳細に説明するが、この発明はこの実施例に限定されるものではなく、その実施態様を多少変えるように設計変更することは可能である。
【００１２】
図１はこの発明の高輝度図柄発光表示装置の一部を表面側から見た斜視図、図２は図１のＸ−Ｘ線における断面図（ハッチング省略）、図３はこの発明の高輝度図柄発光表示装置を道路標識として適用した側面図、図４は同正面図である。
【００１３】
これらの図において、１は不透明背面板、５は光ファイバー取付兼反射板であり、前記不透明背面板１の表面側に接合する面に無数の所望形状の凹部２を形成し、この凹部２に表面側から入射した光りを反射するマイクロプリズム面３を形成し、前記凹部２間に光ファイバー４の先端部４ａを取付けている。
【００１４】
６は前記光ファイバー取付兼反射板５の表面側に配設した透明あるいは半透明板の表面あるいは裏面に図柄を表示した図柄表示板、７は前記光ファイバー４の後端から太陽直射光束または天空拡散光束を入射させるようにその後端部４ｂを取付けた光ファイバー取付板である。この光ファイバー取付板７は、図３に示すように、これに取付けた光ファイバー４の後端部４ｂから太陽直射光束または天空拡散光束が良く入射するように仰向けてある。
【００１５】
この発明の高輝度図柄発光表示装置を道路標識として適用した場合は、図３および図４に示すように、この高輝度図柄発光表示装置を所望の形状に形成するとともに支持部材８に取付け、この支持部材８にアーム８ａを介して前記光ファイバー取付板７が取付けられている。また、前記支持部材８に横杆９の一端が取付けられ、この横杆９の他端が支柱１０に取付けられている。
【００１６】
この発明の高輝度図柄発光表示装置は、以上説明したように構成されているので、前記光ファイバー４の後端部４ｂから太陽直射光束または天空拡散光束が入射すると、それが光ファイバー４の先端部４ａに導かれ、透明あるいは半透明板の表面あるいは裏面に図柄を表示した図柄表示板６を裏面から照明し、この図柄表示板６に表示した図柄を高輝度発光させ、図柄の視認性および誘目性が極めて高くなる。
【００１７】
一方、夜間に自動車のヘッドライトが図柄を表面あるいは裏面に表示した図柄表示板６を透過し、さらに、光ファイバー取付兼反射板５の裏面に形成した凹部２のマイクロプリズム面３で反射し、前記図柄表示板６に表示した図柄を高輝度発光させて、夜間の図柄の視認性および誘目性が極めて高くなる。
【００１８】
【発明の効果】
この発明の高輝度図柄発光表示装置は、以上説明したように、不透明背面板と、この不透明背面板の表面側に接合する面に無数の所望形状の凹部を形成し、この凹部面に表面側から入射した光りを反射するマイクロプリズム面を形成し、前記凹部間に光ファイバーの先端部を取付けた光ファイバー取付兼反射板と、この光ファイバー取付兼反射板の表面側に配設した透明あるいは半透明板の表面あるいは裏面に図柄を表示した図柄表示板と、前記光ファイバーの後端から太陽直射光束または天空拡散光束を入射させるようにその後端部を取付けた光ファイバー取付板とより構成したので、太陽直射光束または天空拡散光束が光ファイバーの後端から入射して光ファイバーの前端に導かれ、この光ファイバーの前端から放出される光りで透明あるいは半透明板の表面あるいは裏面に図柄を表示した図柄表示板を裏面から照明し、この図柄表示板に表示した図柄を高輝度発光させて、図柄の視認性および誘目性が極めて高くなる。
【００１９】
また、夜間に自動車のヘッドライトが透明あるいは半透明板の表面あるいは裏面に図柄を表示した図柄表示板を透過し、さらに、光ファイバー取付兼反射板の裏面に形成した凹部のマイクロプリズム面で反射し、前記図柄表示板を裏面から照明し、この図柄表示板に表示した図柄を高輝度発光させて、図柄の視認性および誘目性が極めて高くなる。
【００２０】
また、この高輝度図柄発光表示装置の図柄表示板の背面側に支柱や支板があっても、その支柱や支板の背面側から入射する逆光時に前記支柱や支板の影響を受けないで、図柄表示板に表示した図柄を高輝度発光させることができる。
【図面の簡単な説明】
【図１】この発明の高輝度図柄発光表示装置の一部を表面側から見た斜視図である。
【図２】図１のＸ−Ｘ線における断面図である。
【図３】この発明の高輝度図柄発光表示装置を道路標識として適用した側面図である。
【図４】この発明の高輝度図柄発光表示装置を道路標識として適用した正面図である。
【図５】従来の道路標識の正面図である。
【図６】従来の道路標識の側面図である。
【図７】従来の道路標識の作用の説明図である。
【図８】従来の内部照明標識の構造を示す側断面図である。
【符号の説明】
１      不透明背面板
２      凹部
３      マイクロプリズム面
４      光ファイバー
４ａ      先端部
４ｂ      後端部
５      光ファイバー取付兼反射板
６      図柄表示板
７      光ファイバー取付板
８      支持部材
８ａ      アーム
９      横杆
１０      支柱
１１      着色透明の図柄
２１      標識基板
２２      白色反射シート
２３      太陽直射光および拡散天空光
２４      二次的散乱光
２５      ハウジング
２６      蛍光灯
２７      ＥＬ素子板
１８      表面板
２９      図柄印刷
Ａ      太陽直射光および拡散天空光の入射光
Ｂ      ヘッドライト光
【図１】
0003624268.tif 000002
【図２】
0003624268.tif 000003
【図３】
0003624268.tif 000004
【図４】
0003624268.tif 000005
【図５】
0003624268.tif 000006
【図６】
0003624268.tif 000007
【図７】
0003624268.tif 000008
【図８】
0003624268.tif 000009